(57)【要約】【課題】この発明は、録画されたコンテンツが再生される際に、視聴者にコマーシャルを視聴してもらいやすくなるテレビ放送波送信側装置およびテレビ放送受信機を提供することを目的とする。【解決手段】テレビ放送波送信側装置は、番組を構成するストリームデータとともに、ストリームデータに含まれるコマーシャルに対応するクーポン情報をＣＭメタデータとして、送出する手段を備えている。テレビ放送受信機は、上記テレビ放送波送信側装置から送出されたＣＭメタデータを受信して保存する手段を備えていることを特徴とする。【選択図】図２
2009260742.tif 000002
【特許請求の範囲】
【請求項１】
番組を構成するストリームデータとともに、ストリームデータに含まれるコマーシャルに対応するクーポン情報をＣＭメタデータとして、送出する手段を備えていることを特徴とするテレビ放送波送信側装置。
【請求項２】
請求項１のテレビ放送波送信側装置から送出されたＣＭメタデータを受信して保存する手段を備えていることを特徴とするテレビ放送受信機。
【請求項３】
請求項１のテレビ放送波送信側装置から送出されたストリームデータを受信して録画する際に、当該ストリームデータとともに上記テレビ放送波送信側装置から送出されかつ当該ストリームデータに含まれるコマーシャルに対応するＣＭメタデータを受信して保存させる手段を備えていることを特徴とするテレビ放送受信機。
【請求項４】
保存したＣＭメタデータに含まれているクーポン情報を表示させる手段を備えていることを特徴とする請求項２乃至３に記載のテレビ放送受信機。
【請求項５】
保存したＣＭメタデータに含まれているクーポン情報を携帯端末に転送させる手段を備えていることを特徴とする請求項２乃至４に記載のテレビ放送受信機。
【発明の詳細な説明】
【技術分野】
【０００１】
この発明は、テレビ放送波送信側装置およびテレビ放送受信機に関する。
【背景技術】
【０００２】
近年、ＤＶＲ（デジタルビデオレコーダ）等の普及により、リアルタイムでテレビ放送を視聴する視聴者が減少し、ＤＶＲで録画したコンテンツを後で視聴する視聴者が増加するものと予想される。録画したコンテンツを視聴する場合、視聴者はコマーシャルをスキップする傾向にある。
【０００３】
これに伴う、企業側のテレビＣＭ損失額は約５４０億円にものぼると試算されており、今後、視聴者にコマーシャルをいかに視聴してもらうかがコマーシャルを提供する側の大きな課題となっている。
【０００４】
コマーシャルを視聴してもらうための方策の一つとして、視聴者がコマーシャルを視聴することで視聴者にクーポン等のインセンティブを与え、視聴者側も何らかの利益を享受することができる仕組みを構築するという考え方がある。
【０００５】
例えば、特許文献１には、コマーシャル放送中に視聴者がクーポン情報を請求することでクーポンが発行され、それを視聴者が利用できるようにした発明が開示されている。
【０００６】
また、特許文献２には、放送中にクーポンモードというモードが設けられ、クーポンモード中に視聴者が興味を持ったアイテムに対応するインジケータを選択すると、選択したアイテムに対応するクーポン情報が着脱可能な記録媒体に保存されるようにした発明が開示されている。
【特許文献１】特開2002-150185 公報
【特許文献２】特表2002-534013 号公報
【発明の開示】
【発明が解決しようとする課題】
【０００７】
上述した従来技術では、クーポン情報を得るためには、コマーシャル放送中に、リアルタイムで、尚且つ恣意的に、クーポンを請求するための操作を行なわなければならない。したがって、ＤＶＲ等によって録画したコンテンツに対するコマーシャルスキップ等によるコマーシャル視聴の回避に対する対策とはなりえない。
【０００８】
そこで、ここでの課題は、録画されたコンテンツが再生される際に、いかにコマーシャルを視聴者に視聴してもらえるかであり、放送中ではなく、録画してから視聴する場合に対する方策を検討する必要がある。
【０００９】
この発明は、録画されたコンテンツが再生される際に、視聴者にコマーシャルを視聴してもらいやすくなるテレビ放送波送信側装置およびテレビ放送受信機を提供することを目的とする。
【課題を解決するための手段】
【００１０】
請求項１に記載のテレビ放送波送信側装置は、番組を構成するストリームデータとともに、ストリームデータに含まれるコマーシャルに対応するクーポン情報をＣＭメタデータとして、送出する手段を備えていることを特徴とする。
【００１１】
請求項２に記載のテレビ放送受信機は、請求項１のテレビ放送波送信側装置から送出されたＣＭメタデータを受信して保存する手段を備えていることを特徴とする。
【００１２】
請求項３に記載のテレビ放送受信機は、請求項１のテレビ放送波送信側装置から送出されたストリームデータを受信して録画する際に、当該ストリームデータとともに上記テレビ放送波送信側装置から送出されかつ当該ストリームデータに含まれるコマーシャルに対応するＣＭメタデータを受信して保存させる手段を備えていることを特徴とする。
【００１３】
請求項４に記載のテレビ放送受信機は、請求項２乃至３に記載のテレビ放送受信機において、保存したＣＭメタデータに含まれているクーポン情報を表示させる手段を備えていることを特徴とする。
【００１４】
請求項５に記載のテレビ放送受信機は、請求項２乃至４に記載のテレビ放送受信機において、保存したＣＭメタデータに含まれているクーポン情報を携帯端末に転送させる手段を備えていることを特徴とする。
【発明の効果】
【００１５】
この発明によれば、録画されたコンテンツが再生される際に、視聴者にコマーシャルを視聴してもらいやすくなる。
【発明を実施するための最良の形態】
【００１６】
以下、図面を参照して、この発明の実施例について説明する。
【実施例１】
【００１７】
〔１〕システムの全体構成
【００１８】
図１は、システムの全体構成を示している。
【００１９】
放送局１は、図２に示すように、ストリームデータとメタデータとを含む放送波を送出する。ある番組に対するストリームデータは、一または複数の本編部と一または複数のＣＭ部とからなる。当該番組に対するメタデータは、当該番組に関する番組メタ情報と、各ＣＭ部にそれぞれ対応するＣＭメタデータとからなる。
【００２０】
ＣＭメタデータは、次に示す項目（ａ），（ｂ），（ｃ）より構成されている。
（ａ）商品情報
・業種名
・メーカ名
・商品名
・出演タレント名
（ｂ）クーポン情報
・当該商品の値引率（値引き額でもよい）
・クーポン有効期間
（ｃ）ＣＭ位置情報
ストリームデータの中で当該ＣＭメタデータに対応するＣＭ部がどの位置にあるかを示すポインター
・対応ＣＭ部のStart 位置
・対応ＣＭ部のEnd 位置
【００２１】
録画機能付きテレビ放送受信機２は、放送局１から送出された放送波を受信する。また、録画要求があったときには、録画機能付きテレビ放送受信機２は、受信した放送波に含まれるストリームデータとメタデータを所定のフォーマットで保存する。
【００２２】
保存されたデータに含まれるクーポン情報の取り出しは、例えば、次のようにして行なわれる。
【００２３】
図３に示すように、録画されている番組の一覧を示す録画番組一覧画面１１を、表示させる。録画番組一覧画面１１は、録画されている各番組の番組名等の番組情報を記憶した番組情報コンテンツに基づいて、作成される。録画番組一覧画面１１からコマーシャルの詳細を知りたい録画番組（番組名等）を選択し、コマーシャル一覧表示要求を入力するための操作を行なう。これにより、選択された録画番組に含まれているコマーシャルの一覧を示すＣＭ一覧画面１２が表示される。ＣＭ一覧画面１２は、選択された録画番組に含まれている各ＣＭの商品情報、クーポン情報等を記憶したＣＭ情報コンテンツに基づいて作成される。
【００２４】
ＣＭ一覧画面１２から、詳細を知りたいＣＭ（商品名等）を選択し、ＣＭ詳細表示要求を入力するための操作を行なう。これにより、選択されたＣＭの詳細画面１３が表示される。
【００２５】
ＣＭ詳細画面１３には、この例では、商品名と、値引き率と、クーポン有効期間と、視聴ボタンと、転送ボタンと、削除ボタンとが表示される。ＣＭ詳細画面１３は、ＣＭ情報コンテンツに基づいて作成される。
【００２６】
「視聴ボタン」が選択された状態で決定操作が行なわれると、対応するコマーシャル部分（ＣＭコンテンツ）が再生される。「転送ボタン」が選択された状態で決定操作が行なわれると、クーポン情報が予めそのメールアドレス等が登録されている携帯型電話機等の携帯端末３に転送される。なお、伝送媒体は、無線であっても、有線であってもよい。クーポン情報の転送が一度行なわれると、当該クーポン情報の転送が出来なくなるので、転送ボタンはマスクされる。「削除ボタン」が選択された状態で決定操作が行なわれると、対応するＣＭ情報コンテンツが削除される。ただし、当該ＣＭの映像・音声データからなるＣＭコンテンツは削除されない。
【００２７】
携帯端末３は、転送されたクーポン情報を保存する。携帯端末３に保存されたクーポン情報を使用することにより、該当する商品について値引き率分だけ値引きされる。携帯端末３に保存されたクーポン情報を使用する態様としては、携帯端末３にクーポン情報を表示させて店員に提示したり、自販機４または店舗５に設置されたクーポン情報読取装置によって携帯端末３内のクーポン情報を読み取らしたりすることが考えられる。使用されたクーポン情報は、当該携帯端末３から削除されるようにすることが好ましい。
【００２８】
自販機４または店舗５に設置されたクーポン情報読取装置によって携帯端末３内のクーポン情報を読み取らせた場合には、クーポン情報読取装置から使用されたクーポン情報を集計サーバー６に送信するようにすれば、集計サーバー６によってクーポン情報の使用状況を集計することが可能となる。
【００２９】
〔２〕録画機能付き放送受信機２の構成
【００３０】
図４は、録画機能付きテレビ放送受信機２の構成を示している。
【００３１】
チューナ部２１によって受信された放送波は、分離部２２で映像音声ストリームデータ、メタデータ等に分離される。得られた映像音声ストリームデータは、録画部２３を介して、ＨＤＤ２６にオリジナルコンテンツ（番組コンテンツ）として保存される。
【００３２】
ＣＭ検出部２４は、映像音声ストリームデータ中の映像データ等に基づいてＣＭ部の区切り位置を検出する。コンテンツ管理部２５は、保存されたコンテンツを管理する。コンテンツ管理部２５は、番組に対するメタデータに基づいて番組情報コンテンツを作成してＨＤＤ２６に保存する。さらに、コンテンツ管理部２５は、ＣＭ検出部２４によって検出されたＣＭ部の区切り位置の情報と、ＣＭに対するメタデータとに基づいて、ＣＭ情報コンテンツを作成して、ＨＤＤ２６に登録する。
【００３３】
再生部２７は、ＨＤＤ２６から映像音声ストリームデータを読み出してデコードする。再生部２７によって得られた映像データおよび音声データは、映像音声出力部２８を介してモニタおよびスピーカに出力される。
【００３４】
なお、コンテンツ管理部２５は、クーポン情報の転送指令が入力されたときには、ＨＤＤ２６内に記憶されている該当するクーポン情報を外部インタフェース制御部２９を介して携帯端末に転送する。
【００３５】
ＣＭ情報コンテンツを作成して、ＨＤＤ２６に登録する処理について説明する。
【００３６】
図５に示すように、録画されたある番組に対するオリジナルコンテンツ（番組コンテンツ）は、一または複数の本編部と一または複数のＣＭ部とからなる。この例では、ＣＭ部の区切り位置として、本編部１とＣＭ部１との間、ＣＭ部１とＣＭ部２との間、ＣＭ部２と本編部２と間、本編部２とＣＭ部１’との間等がある。ＣＭ部１’は、ＣＭ部１と同じ内容である。
【００３７】
ＣＭ検出部２４は、ＣＭ部の区切り位置を検出すると、ＣＭ検知イベントを作成してコンテンツ管理部２５に送信する。ＣＭ検出部２４によって作成されるＣＭ検知イベントには、次の３種類がある。
【００３８】
１）本編部からＣＭ部に入る区切り位置を検出したことを示すイベントであり、以下、第１イベントと呼ぶことにする。
２）あるＣＭ部から他のＣＭ部に入る区切り位置を検出したことを示すイベントであり、以下、第２イベントと呼ぶことにする。
３）ＣＭ部から本編部に入る区切り位置を検出したことを示すイベントであり、以下、第３イベントと呼ぶことにする。
【００３９】
コンテンツ管理部２５は、受け取った３種類のイベントに基づいて、ＣＭ情報コンテンツを生成して、登録する。
【００４０】
図６は、コンテンツ管理部２５によって実行されるＣＭ情報コンテンツの作成および登録処理の手順を示している。
【００４１】
ＣＭ検知イベントを受信すると（ステップＳ１）、受信したイベントが第１イベントであるか否かを判別する（ステップＳ２）。受信イベントが第１イベントである場合には、ＣＭ検出部２４によって今回検出された区切り位置をＣＭ開始位置として記憶する（ステップＳ５）。そして、ステップＳ１に戻る。
【００４２】
上記ステップＳ２において、受信イベントが第１イベントではないと判別した場合には、受信イベントが第２イベントであるか否かを判別する（ステップＳ３）。受信イベントが第２イベントである場合には、ＣＭ情報コンテンツ登録処理を行なった後（ステップＳ６）、ＣＭ検出部２４によって今回検出された区切り位置をＣＭ開始位置として記憶する（ステップＳ７）。つまり、ＣＭ開始位置の情報を更新する。そして、ステップＳ１に戻る。ＣＭ情報コンテンツ登録処理の詳細については、後述する。
【００４３】
上記ステップＳ３において、受信イベントが第２イベントではないと判別した場合には、受信イベントが第３イベントであるか否かを判別する（ステップＳ４）。受信イベントが第３イベントである場合には、ＣＭ情報コンテンツ登録処理を行なった後（ステップＳ８）、ステップＳ１に戻る。ＣＭ情報コンテンツ登録処理の詳細については、後述する。      
【００４４】
上記ステップＳ４において、受信イベントが第３イベントではないと判別した場合には、ステップＳ１に戻る。
【００４５】
図７は、図６のステップＳ６またはステップＳ８で実行されるＣＭ情報コンテンツ登録処理の手順を示している。
【００４６】
ＣＭ情報コンテンツ登録処理においては、まず、現在受信しているＣＭメタデータのうち、現在保持しているＣＭ開始位置を開始位置とし、ＣＭ検出部２４によって今回検出された区切り位置を終了位置とするＣＭメタデータを検索する（ステップＳ１１）。
【００４７】
そして、見つけたＣＭメタデータと同じＣＭに対応するＣＭ情報コンテンツが、現在録画している番組内のＣＭ情報コンテンツとして既に登録されてるか否かを判別する（ステップＳ１２）。この判別は、見つけたＣＭメタデータ内の商品名に基づいて行なわれる。      
【００４８】
見つけたＣＭメタデータに対するＣＭ情報コンテンツが既に登録されている場合には、今回のＣＭ情報コンテンツ登録処理を終了する。見つけたＣＭメタデータに対するＣＭ情報コンテンツが登録されていない場合には、当該ＣＭメタデータおよび現在録画している番組に対するメタデータ（番組情報）に基づいて、ＣＭ情報コンテンツを作成して登録する（ステップＳ１３）。そして、今回のＣＭ情報コンテンツ登録処理を終了する。
【００４９】
ＣＭ情報コンテンツは、次に示す項目（ａ），（ｂ），（ｃ），（ｄ）より構成されている。
【００５０】
（ａ）番組情報
・放送局
・放送時間
・番組名
（ｂ）商品情報
・業種名
・メーカ名
・商品名
・出演タレント名
（ｃ）クーポン情報
・当該商品の値引率（値引き額でもよい）
・クーポン有効期間
（ｄ）ＣＭ位置情報
ストリームデータの中で当該ＣＭメタデータに対応するＣＭ部がどの位置にあるかを示すポインター
・対応ＣＭ部のStart 位置
・対応ＣＭ部のEnd 位置
【００５１】
図８は、本発明を実施するためのその他の形態の例を示している。
【００５２】
放送局１からは、ＣＭメタデータを含むワンセグ放送が送出されている。ワンセグ放送を受信する機能および受信したワンセグ放送を録画する機能を備えた携帯型電話機等の携帯端末３が、放送局１から放送されるワンセグ放送を受信して、録画を行なう。録画を行なう際、携帯端末３は、上述したテレビ受信機と同様な方法で、ＣＭ情報コンテンツを登録する。視聴者は、携帯端末３からＣＭ情報コンテンツに含まれているクーポン情報を取り出して、利用する。
【００５３】
上述した実施例では、インセンティブとなるクーポン情報がＣＭメタデータとして送出されており、番組を録画する際に、クーポン情報もＣＭ情報コンテンツとして保存されるため、視聴者は後から任意のタイミングでクーポン情報を取り出して、利用することができるようになる。
【００５４】
このように録画後においてもクーポン情報を獲得できるため、録画番組を再生する場合においても、視聴者はクーポンを獲得できる商品を認識したい等の理由により、コマーシャルをスキップせずに視聴したり、コマーシャルのみを視聴したりすることが期待される。
【００５５】
なお、ＣＭメタデータは、同じ番組中に複数回、放送局から送出されるものでもよい。これにより、番組の途中から録画した場合であっても、視聴者はＣＭメタデータを取得できる。
【００５６】
クーポン情報が含まれるＣＭメタデータはＣＭ放送波と同時に送信されるものであってもよい。これにより、ＣＭ期間でのザッピング（ＣＭになると視聴者が他のチャンネルを選択する行為）を防ぐことができ、視聴者にＣＭを確実に視聴させることができる。
【００５７】
上記では、一覧表示画面（図３）の中から詳細を知りたいＣＭを選択させることにより、視聴者にクーポン情報を取得させる例を説明した。これに代えて、録画番組のＣＭ部分の再生時にＣＭコンテンツと共にクーポン情報を表示させるようにしてもよい。これにより、録画番組の再生中に視聴者がスキップすることを防ぐことができる。
【図面の簡単な説明】
【００５８】
【図１】システムの全体構成を示す模式図である。
【図２】放送波に含まれるデータの構成を示す模式図である。
【図３】録画機能付きテレビ放送受信機内に保存されたクーポン情報の取り出し方法を説明するための模式図である。
【図４】録画機能付きテレビ放送受信機２の構成を示すブロック図である。
【図５】録画された番組に対するオリジナルコンテンツ（番組コンテンツ）に、一または複数の本編部と一または複数のＣＭ部が含まれていることを示す模式図である。
【図６】コンテンツ管理部２５によって実行されるＣＭ情報コンテンツの作成および登録処理の手順を示すフローチャートである。
【図７】図６のステップＳ６またはステップＳ８で実行されるＣＭ情報コンテンツ登録処理の手順を示すフローチャートである。
【図８】本発明を実施するためのその他の形態の例を示す模式図である。
【符号の説明】
【００５９】
１  放送局
２  録画機能付きテレビ放送受信機
３  携帯端末
【図１】
2009260742.tif 000003
【図２】
2009260742.tif 000004
【図３】
2009260742.tif 000005
【図４】
2009260742.tif 000006
【図５】
2009260742.tif 000007
【図６】
2009260742.tif 000008
【図７】
2009260742.tif 000009
【図８】
2009260742.tif 000010